(57)【要約】【課題】  ダンパーとシャーシを効率よく取り付けられる構成とし、製造における作業性を向上した音声記録装置を提供する。【解決手段】ダンパー１にストレート形状の突起部３を設け、シャーシ５に、ダンパー３の脱落を防止する脱落防止固定フレーム６と、ダンパー１の突起部３を挿入して位置を固定する位置固定孔７と、ダンパー１の突起部３を挿入する際に、脱落防止固定フレーム６に誘導する挿入ガイド溝８を備えることにより、ダンパー３とシャーシ５の取り付けが容易となる。【選択図】  図１
2007142992.tif 000002
【特許請求の範囲】
【請求項１】
マイクロフォンと、
前記マイクロフォンを保持するダンパーと、
前記ダンパーを保持するシャーシと、
前記シャーシは前記ダンパーの脱落を防止するための脱落防止固定フレームと、前記ダンパーの位置固定行う位置固定孔を設けたことを特徴とする音声入力装置。
【請求項２】
前記脱落防止固定フレームは、前記シャーシの長辺側の両端を上方に折り曲げ、さらに内側に向けて折り曲げた形状であることを特徴とする請求項１記載の音声入力装置。
【請求項３】
前記脱落防止固定フレームは、前記シャーシの長辺側の両端を上方に折り曲げ、さらに外側に向けて折り曲げた形状であることを特徴とする請求項１記載の音声入力装置。
【請求項４】
前記位置固定孔は、前記脱落防止固定フレームの下部に設けた溝であることを特徴とする請求項１記載の音声入力装置。
【請求項５】
前記位置固定孔は、長手方向に、前記脱落防止固定フレームと重ならない領域を設けることを特徴とする請求項４記載の音声入力装置。
【請求項６】
前記ダンパーは、位置合わせ用突起部を設けたことを特徴とする請求項１記載の音声入力装置。
【請求項７】
前記突起部の一端から他端まで、同一の太さで統一されていることを特徴とする請求項６記載の音声入力装置。
【発明の詳細な説明】
【技術分野】
【０００１】
本発明は、マイクロフォン、特にビデオカメラに内蔵されるマイクロフォンの対振動用ダンパーに関するものである。
【背景技術】
【０００２】
従来のビデオカメラ用マイクロフォンは、光学駆動部等の振動がフレームや基板を伝わりノイズとしてマイクから入力されるのを防ぐために、非常に柔らかなゲル状ダンパー部品を使用している。このダンパー部品を取り付ける構造を説明する。
【０００３】
図８は従来のビデオカメラ用マイクロフォンにおける、シャーシとダンパーの構成図である。１はダンパー、２はマイクロフォンを圧入するための孔部、３はダンパー１に設けられた球形状の突起部、５はシャーシ、９はシャーシ５に空けられた突起部３より小さな孔部であり、シャーシ５に設けられた孔部９に、ダンパー１に設けられた引掛け可能な球形状の突起部３を挿入することで、シャーシ５にダンパー１を固定していた。（例えば、特許文献１参照。）
【特許文献１】特開平１０−２１０５８４号公報
【発明の開示】
【発明が解決しようとする課題】
【０００４】
しかしながら、前記従来の構成では、ダンパー１をシャーシ５に取り付ける時に、突起部３より小さなシャーシ５の孔部９に大きな突起部３を挿入する必要があり、そのためには、シャーシ５の裏側から、ピンセットで突起部３をつまみ引っ張り出すなど、作業性が非常に悪いものとなっている。又、ゲル状部品であるダンパー１を作る上では、金型のコストの関係から無理抜きを必要とする金型を採用する場合が多く、その場合は、ダンパー１を無理抜きすることから、ダンパー１自体の品質および作業性が悪いという問題が発生する。本発明は、前記従来の課題を解決することを目的とする。
【課題を解決するための手段】
【０００５】
本発明の音声入力装置は、
マイクロフォンと、
前記マイクロフォンを保持するダンパーと、
前記ダンパーを保持するシャーシと、
前記シャーシは前記ダンパーの脱落を防止するための脱落防止固定フレームと、前記ダンパーの位置固定行う位置固定孔を設けたことを特徴とするものである。
【０００６】
また、前記脱落防止固定フレームは、前記シャーシの長辺側の両端を上方に折り曲げ、さらに内側に向けて折り曲げた形状であることを特徴とするものである。
【０００７】
また、前記脱落防止固定フレームは、前記シャーシの長辺側の両端を上方に折り曲げ、さらに外側に向けて折り曲げた形状であることを特徴とするものである。
【０００８】
また、前記位置固定孔は、前記脱落防止固定フレームの下部に設けた溝であることを特徴とするものである。
【０００９】
また、前記位置固定孔は、長手方向に、前記脱落防止固定フレームと重ならない領域を設けることを特徴とするものである。
【００１０】
また、前記ダンパーは、位置合わせ用突起部を設けたことを特徴とするものである。
【００１１】
また、前記突起部の一端から他端まで、同一の太さで統一されていることを特徴とするものである。
【発明の効果】
【００１２】
本発明の音声入力装置によれば、ダンパーを作成するときの作業性と、ダンパーを組み込む生産性を改善することができる。
【発明を実施するための最良の形態】
【００１３】
以下に、本発明の音声入力装置の実施の形態を図面とともに詳細に説明する。
【実施例１】
【００１４】
図１は、本発明の実施例における音声入力装置の構成概略図を示す。
【００１５】
音声入力装置は、図１に示すように、マイク回路が実装されている電気基板８と、ダンパー１を固定するシャーシ５と、コンデンサマイク４と、コンデンサマイク４に機器本体から発生する雑音が伝わらないようにするためのダンパー１とで構成されており、それぞれの部材は、ダンパー１の孔部２にコンデンサマイク４を圧入固定し、ダンパー１はシャーシ５上面に固定し、シャーシ５は電気基板８上面にネジ止め固定することで音声入力装置として一体化した構成になる。
【００１６】
まず、シャーシ５の構成を説明する。図２は、シャーシ５の構成図である。シャーシ５にはダンパー１の脱落を防止するための脱落防止固定フレーム６を形成しており、脱落防止固定フレーム６はシャーシ５の長辺側端部２箇所に形成し、ダンパー１の厚さ分上部に折り曲げさらに、内側に折り曲げたＬ字の形状とすることで、ダンパー１を上下方向に引っ掛け、固定することができる。
【００１７】
次に、位置固定孔７について図３を用いて説明する。
【００１８】
位置固定孔７は、脱落防止固定フレーム６の両端下部に、脱落防止固定フレーム６の端部より外側から脱落防止固定フレーム６にまたがり、かつ次に説明するダンパー１の突起部３が挿入できるサイズの溝として加工する。
このように、脱落防止固定フレーム６の両端部に間を設けた挿入ガイド溝８によって、ダンパー１の突起部３を挿入するときに位置固定孔７に誘導しやすくなり容易に挿入することができるようになる。
【００１９】
次に、ダンパー１について説明する。ダンパー１は、図４に示すとおり、コンデンサマイク４を圧入固定するための孔部２と、下方に突き出すように４箇所に突起部３を設けている。突起部３の一端から他端にかけて同一の太さにする。この形状にすることで、先行技術の球形状の突起物３を小さな孔部に通すような作業場の手間をかける必要がなく、位置固定孔７に挿入することができる。
【００２０】
以上の構成により、ダンパー１の位置ズレや、脱落を防止することができるとともに、シャーシ５にダンパー１を取り付ける際の作業効率を向上することができる。また、突起部３の形状をストレートにすることができるので、ダンパー１の生産において、無理抜きなどの生産効率を落とすことなく生産することができる。
【実施例２】
【００２１】
図５は、実施例２におけるシャーシ５の構成図である。
【００２２】
シャーシ５にはダンパー１の脱落を防止するための脱落防止固定フレーム６を形成しており、脱落防止固定フレーム６はシャーシ５の長辺側端部に、ダンパー１の厚さ分上部に折り曲げさらに、内側に折り曲げたＬ字の形状に形成する。
【００２３】
位置固定孔７は、脱落防止固定フレーム６の両端下部に、脱落防止固定フレーム６の端部より外側から脱落防止固定フレーム６にまたがり、かつ次に説明するダンパー１の突起部３が挿入できるサイズの溝として加工する。
【００２４】
このように、脱落防止固定フレーム６の両端部に間を設けた挿入ガイド溝８によって、ダンパー１の突起部３を挿入するときに位置固定孔７に誘導しやすくなり容易に挿入することができるようになる。
【００２５】
次に、ダンパー１について説明する。ダンパー１は、図６に示すとおり、コンデンサマイク４を圧入固定するための孔部２と、下方に突き出すように２箇所の突起部３を設けている。突起部３は、位置固定孔７に挿入することで位置ズレを防ぐ役目をする。
【００２６】
以上の構成により、ダンパー１の位置ズレや、脱落を防止することができるとともに、シャーシ５にダンパー１を取り付ける際の作業効率を向上することができる。また、突起部３の形状をストレートにすることができるので、ダンパー１の生産において、無理抜きなどの生産効率を落とすことなく生産することができる。
【実施例３】
【００２７】
図７は、実施例３におけるシャーシ５の構成図である。
【００２８】
シャーシ５にはダンパー１の脱落を防止するための脱落防止固定フレーム６を形成しており、脱落防止固定フレーム６はシャーシ５の長辺側端部に、ダンパー１の厚さ分上部に折り曲げさらに、外側に折り曲げたＬ字の形状に形成する。
【００２９】
位置固定孔７は、脱落防止固定フレーム６の両端下部に、脱落防止固定フレーム６の端部より外側から脱落防止固定フレーム６にまたがり、かつ次に説明するダンパー１の突起部３が挿入できる幅の溝として加工する。
【００３０】
このように、脱落防止固定フレーム６の両端部に間を設けた挿入ガイド溝８によって、ダンパー１の突起部３を挿入するときに位置固定孔７に誘導しやすくなり容易に挿入することができるようになる。
【００３１】
ダンパー１は、実施例１における図４の構成と同じものが使用できる。
【００３２】
以上の構成により、ダンパー１の位置ズレや、脱落を防止することができるとともに、シャーシ５にダンパー１を取り付ける際の作業効率を向上することができる。また、突起部３の形状をストレートにすることができるので、ダンパー１の生産において、無理抜きなどの生産効率を落とすことなく生産することができる。
【産業上の利用可能性】
【００３３】
本発明にかかる音声入力装置は、シャーシにダンパーを固定するための、脱落防止固定フレームと、ダンパーの位置固定用孔と、挿入ガイド溝と、ダンパーの突起部をストレートな形状にすることで、生産性を向上することができ、特に、ビデオカメラの音声入力部の生産に有効に適用できる。
【図面の簡単な説明】
【００３４】
【図１】本発明の実施例１におけるダンパー固定装置の概略構成図
【図２】本発明の実施例１におけるシャーシの構成図
【図３】本発明の実施例１における位置固定孔の構成図
【図４】本発明の実施例１におけるダンパーの構成図
【図５】本発明の実施例２におけるシャーシの構成図
【図６】本発明の実施例２におけるダンパーの構成図
【図７】本発明の実施例３におけるシャーシの構成図
【図８】従来技術の構成図
【符号の説明】
【００３５】
１  ダンパー
２  孔部
３  突起部
４  コンデンサマイク
５  シャーシ
６  脱落防止フレーム
７  位置固定孔
８  挿入ガイド溝
９  電気基板
１０  孔部
【図１】
2007142992.tif 000003
【図２】
2007142992.tif 000004
【図３】
2007142992.tif 000005
【図４】
2007142992.tif 000006
【図５】
2007142992.tif 000007
【図６】
2007142992.tif 000008
【図７】
2007142992.tif 000009
【図８】
2007142992.tif 000010